(57)【要約】【課題】家人の外出や犬猫の通過等を誤って検知することなく不審者の侵入のみを確実に検知して警報音等を鳴らすことのできる門ユニット用侵入検知装置を提供する。【解決手段】門ユニット用侵入検知装置を、門ユニット１の開閉を検知する第一検知部３０と、門ユニット１より屋宅２０側の検知領域２１内にある人体を検知する第二検知部３１と、不審者侵入の警告を発する警告部３３と、第一検知部３０が門ユニット１の開扉状態を検知していて第二検知部３１が検知領域２１内の人体を検知している場合であって第一検知部３０での開扉状態の検知が第二検知部３１での人体の検知よりも先である場合にのみ警告部３３を作動させる制御部３２とで構成する。【選択図】　　　　図１
2004118450.tif 000002
【特許請求の範囲】
【請求項１】
門ユニットの開閉を検知する第一検知部と、門ユニットより屋宅側の検知領域内にある人体を検知する第二検知部と、不審者侵入の警告を発する警告部と、第一検知部が門ユニットの開扉状態を検知していて第二検知部が検知領域内の人体を検知している場合であって第一検知部での開扉状態の検知が第二検知部での人体の検知よりも先である場合にのみ警告部を作動させる制御部とを、備えて成ることを特徴とする門ユニット用侵入検知装置。
【発明の詳細な説明】
【０００１】
【発明の属する技術分野】
本発明は、不審者の屋宅側への侵入を防止する為の技術に関する。
【０００２】
【従来の技術】
不審者が門扉を通って屋宅側に侵入してきたことを検知し、警報音等を鳴らす防犯用の装置として、マグネット式の侵入検知装置がある。これは、例えば門ユニットを構成する門扉と扉枠の一方の所定位置にマグネットを設置するとともに他方の前記マグネットと対応する位置に磁気スイッチを設置し、磁気スイッチにより門扉が開扉されたと検知した場合に警報機から警報音を鳴らす等して不審者の侵入を報知するものである（特許文献１参照）。また、同様の防犯用の装置として、人体検知式の侵入検知装置がある。これは、人体検知センサとして赤外線センサ、熱線センサ、超音波センサ等を門ユニットに設置したもの（特許文献２参照）を利用して、門扉に接近した人体を検知した場合に警報機から警報音を鳴らす等して不審者の侵入を報知するものである。
【０００３】
【特許文献１】
特開昭５６−３６７９２号公報
【特許文献２】
実開平３−１２８１９６号公報
【０００４】
【発明が解決しようとする課題】
しかしながら、上記したマグネット式及び人体検知式の侵入検知装置はいずれも、人が門扉を開いて屋宅側に侵入してくる場合だけでなく屋宅側から門扉を開いて外出する場合にもこれを検知して作動するものであり、不審者の侵入時だけでなく家人の外出時にも警報音が鳴り響いてしまい、非常に耳障りであり紛らわしいといった問題があった。加えて、人体検知式の侵入検知装置においては、人体だけでなく犬や猫が門扉の前を通過した時や樹木が揺動した時にもこれを検知して警報音等を鳴らすことがあり、誤報が多く発生してしまうといった問題があった。
【０００５】
本発明は上記の点に鑑みてなされたものであり、家人の外出や犬猫の通過等を誤って検知することなく不審者の侵入のみを確実に検知して警報音等を鳴らすことのできる門ユニット用侵入検知装置を提供することを課題とするものである。
【０００６】
【課題を解決するための手段】
上記課題を解決するために本発明に係る門ユニット用侵入検知装置を、門ユニット１の開閉を検知する第一検知部３０と、門ユニット１より屋宅２０側の検知領域２１内にある人体を検知する第二検知部３１と、不審者侵入の警告を発する警告部３３と、第一検知部３０が門ユニット１の開扉状態を検知していて第二検知部３１が検知領域２１内の人体を検知している場合であって第一検知部３０での開扉状態の検知が第二検知部３１での人体の検知よりも先である場合にのみ警告部３３を作動させる制御部３２とを、備えて成ることを特徴とする門ユニット用侵入検知装置とする。
【０００７】
このようにすることで、不審者が侵入してきた場合には、第一検知部３０により門ユニット１が開扉したことを検知後に第二検知部３１により門ユニット１の屋宅２０側に人体を検知して警告部３３が作動されるのに対して、家人が外出する場合には、第二検知部３１により門ユニット１の屋宅２０側に人体を検知した後に第一検知部３０により門ユニット１が開扉したことを検知するので警告部３３は作動されず、また、犬や猫が通過したり樹木が揺動しただけの場合には、第二検知部３１がこれを人体として検知したとしても第一検知部３０が門ユニット１の開扉を検知しないので警告部３３は作動されないものであり、したがって、家人の外出や犬猫の通過等を誤って検知することなく不審者の侵入のみを確実に検知して警報音等を鳴らすことができる門ユニット用侵入検知装置となる。
【０００８】
【発明の実施の形態】
以下、本発明を添付図面に示す実施の形態に基づいて説明する。
【０００９】
図１〜図３には、本発明の実施の形態における一例の門ユニット用侵入検知装置を示している。門ユニット１は、四角柱状を成す一対の門柱２，２と該門柱２，２のそれぞれに接続した門扉３，３とで主体を構成するものであり、外部から屋宅２０側（図中の矢印Ａ方向）への通過個所に設置されるものである。門柱２と門扉３とは、門柱２に固定した肘金部材４と門扉３に固定した肘壺部材５との枢着により回動自在に接続させている。また、両門扉３，３のうち一方を、その下端から垂下させた落し棒６により閉状態で固定して固定門扉３ａとし、他方のみを回動自在な可動門扉３ｂとしているので、可動門扉３ｂを回動させて開閉状態を切替えることで門ユニット１全体を開閉させるようになっている。つまり、固定門扉３ａにおける門柱２との接続側と逆側の端面８と、可動門扉３ｂにおける門柱２との接続側と逆側の端面９とが、近接して対向する図１に示すような状態が門ユニット１の閉扉状態であり、前記閉扉状態から可動門扉３ｂが回動して該可動門扉３ｂの端面９が固定門扉３ａの端面８から離隔して対向状態になくなった場合に門ユニット１は開扉状態となる。
【００１０】
固定門扉３ａの端面８には磁気スイッチ７を設置しており、可動門扉３ｂの端面９であって門ユニット１の閉扉状態において前記磁気スイッチ７と対向する位置には、マグネット８を設置している。磁気スイッチ７は、門ユニット１が閉扉状態でマグネット８が該磁気スイッチ７の対向位置にある時と、門ユニット１が開扉状態でマグネット８が該磁気スイッチ７の対向位置にない時とで、オンオフが切替わるものであって、この磁気スイッチ７のオンオフにより門ユニット１の開閉が検知される。つまり、本例においては、門ユニット１の開閉を検知する第一検知部３０を磁気スイッチ７とマグネット８とで形成している。
【００１１】
なお、図８に示すように、第一検知部３０として回動自在に接続する可動門扉３ｂと門柱２の一方に磁気スイッチ７を設置して他方にマグネット８を設置し、磁気スイッチ７とマグネット８が開扉状態においては近接して対向する位置にあって、閉扉状態においては離隔して対向位置になくなるようにしてもよく、この場合も磁気スイッチ７のオンオフにより門ユニット１の開閉を検知することができる。
【００１２】
また、一対の門柱２，２のうち固定門扉３ａを接続した側の門柱２には、その屋宅２０側の側面１０に人体検知器本体１１を組込んでいる。この人体検知器本体１１の正面には焦電素子を用いた熱線式の人体検知センサ１２を設けており、前記人体検知センサ１２によって門ユニット１より屋宅２０側の検知領域２１内での人体の移動が検知可能になっている。人体検知器本体１１には制御部３２を内蔵しており、人体検知センサ１２及び磁気スイッチ７の出力を受けて不審者が侵入してきたと判断される場合には、この制御部３２が、人体検知機本体１１の正面に設けた報知スピーカー１３から警報音等を発生させて報知を行うか、若しくは、人体報知器本体１１に設けたＨＡ端子１４からの信号を受けた屋宅２０内の室内報知ユニット２２から警報音等を発生させて報知を行うようになっている。つまり、本例においては、門ユニット１より屋宅２０側の検知領域２１内にある人体を検知する第二検知部３１を前記人体検知センサ１２で形成するとともに、不審者侵入の警告を発する警告部３３を前記報知スピーカー１３や室内報知ユニット２２で形成している。
【００１３】
図中２３は電源部であり、人体検知センサ１２や制御部３２、及び、照明等の他の設備機器に電源を供給するものである。また、図中２４は屋宅２０内に設置された警戒入／切スイッチであり、門ユニット用侵入検知装置による侵入者の検知のオンオフを切替えるものである。
【００１４】
次に、制御部３２での不審者侵入の判断方法について説明する。図４には不審者侵入の判断チャートを示しており、このように、門ユニット１が開扉状態であると第一検知部１により検知されていて且つ第二検知部３１により検知領域２１内で人体が検知されている場合であって、更に、人体の検知よりも開扉状態の検知の方が先である場合にのみ、各入力を受けた制御部３２が警告部３０を作動させて不審者の侵入を報知するものである。なお、警告部３２の作動は一定時間経過後に終了されるようになっている。
【００１５】
上記のような門ユニット用侵入検知装置によれば、図５（ａ）のような不審者の侵入時にも図５（ｂ）のような家人の外出時にも共に、第一検知部３０での開扉状態の検知と第二検知部３１での人体の検知が為されるのだが、前者の時には第一検知部３０での開扉状態の検知が第二検知部３１での人体の検知より先であるから警報部３２が作動するのに対して、後者の時には第一検知部３０での開扉状態の検知が第二検知部３１での人体の検知より後であることから警報部３２は作動しない。つまり、家人が外出時に警報音等が鳴り響くことが防止されるものである。そして、犬猫が門ユニット１の前を通過しただけの場合や樹木が揺動しただけの場合には、仮に第二検知部３１がこれら犬猫等を人体として検知しても第一検知部３０は開扉状態を検知しないので、誤作動により警告部３２が作動されて警報音等が鳴り響くことがないものである。
【００１６】
また、第一検知部３０により門ユニット１が閉扉状態から開扉状態に切替わったと検知されてから５〜１０秒程度の所定時間経過中に第二検知部３１にて人体が検知された場合にのみ制御部３２がこれを不審者侵入と判断して警告部３２を作動させるようにしても良い。これによれば、門ユニット１が開扉状態で放置されていて家人が外出する場合に警報音等が鳴り響くことを防止することができる。
【００１７】
図６、図７には、人体検知センサ１２の検知方式を示している。図６は平面図であるが、このように人体検知センサ１２の検知を行う検知領域２１は該人体検知センサ１２を中心とした左右４５°の範囲内での放射状になっていて、可変ピッチは１５°となっている。また、図７は側面図であるが、このように人体検知センサ１２は水平方向と斜下方向の二方向について検知を行って、両方向共で検知が為された場合にのみ人体を検知したものとする。上記のようなダブルセンサ検知方式にすることで、斜下方向の傾斜角変更により人体検知センサ１２からの検知領域２１の最大距離が可変となり、加えて、背の低い犬猫が人体として検知されることを防止することができる。図７（ａ）〜（ｄ）は、斜下方向の傾斜角変更により警戒距離を１２ｍ〜２ｍの間で変更させたものである。
【００１８】
図９には、本例の門柱２と可動門扉３ｂとの接続部分を示している。前述のように、本例においては人体検知器本体１１を組込んだ側の門柱２に固定門扉３ｂを接続しているが、仮にこの門柱２に可動門扉３ｂを内開きに接続した場合には、図９（ａ）に示すように肘金部材４と肘壺部材５との枢着箇所Ｂを中心に大きく回動した可動門扉３ｂが、屋宅２０側に突出した人体検知器本体１１に当たって、開扉動作が妨げられることとなる。そこで、この場合には、図９（ｂ）に示すように門柱２の人体検知器本体１１を組込んでいる側の左右方向の中央部分に肘金部材４と肘壺部材５との枢着箇所Ｂを位置させるとともに、肘壺部材５の腕部１４を十分な長さに形成して、可動門扉３ｂが人体検知器本体１１の突出量よりも大きな距離だけ門柱２から隔たって回動するようにすると良い。これによれば、可動門扉３ｂが人体検知器本体１１に当たることなく円滑に開扉動作を行なわせることができる。
【００１９】
図１０には、本発明の実施の形態における他例の門ユニット用侵入検知装置を示している。以下、前述した一例と同様の構成については同一符号を付して説明を省略し、特徴的な構成についてのみ別符号を付して詳しく説明する。本例においては、一方の門扉３に組込んだ錠部１５に第一検知手段３０を設け、この錠部１５と連結させて門扉３の屋宅２０側（図中の矢印方向Ａ）に取付けた取手部１８に第二検知手段３１を設けている。
【００２０】
具体的には、錠部１５にはラッチボルト１６と共にトリガーボルト１７を出入自在に設けており、図１１（ａ）、（ｂ）に示すように突出方向に付勢力を与えられたトリガーボルト１７が開扉状態では大きく突出し、閉扉状態では対向する門扉３に当たって錠部１５内に押込まれるようになっている。そして、錠部１５にはトリガーボルト１７の出入によって門ユニット１の開閉を検知するセンサ（図示せず）を設けており、このセンサとトリガーボルト１７とで第一検知部３０を形成している。また、取手部１８の屋宅２０側の側面には人体検知センサ１２と報知スピーカー１３を設けており、この人体検知センサ１２により第二検知部３１を形成し、報知スピーカー１３等により警告部３３を形成している。更に、取手部１８には制御部３２を内蔵していて、第一検知部３０からの信号と第二検知部３１からの信号を受けて不審者が侵入したと判断した場合に警報部３３を作動させるものである。
【００２１】
【発明の効果】
上記のように請求項１記載の発明にあっては、不審者が侵入してきた場合には、第一検知部により門ユニットが開扉したことを検知後に第二検知部により門ユニットの屋宅側に人体を検知して警告部が作動されるのに対して、家人が外出する場合には、第二検知部により門ユニットの屋宅側に人体を検知した後に第一検知部により門ユニットが開扉したことを検知するので警告部は作動されず、また、犬や猫が通過したり樹木が揺動しただけの場合には、第二検知部がこれを人体として検知したとしても第一検知部が門ユニットの開扉を検知しないので警告部は作動されず、これにより、家人の外出や犬猫の通過等を誤って検知することなく不審者の侵入のみを確実に検知して警報音等を鳴らすことができるという効果がある。
【図面の簡単な説明】
【図１】本発明の実施の形態における一例の門ユニットを示す斜視図である。
【図２】同上の門ユニット用侵入検知装置の概観を示す説明図である。
【図３】同上の門ユニット用検知装置を示すブロック図である。
【図４】同上の制御部における判断チャートである。
【図５】同上の門ユニット侵入検知装置の方向判別機能を示す説明図であり、（ａ）は不審者侵入の場合、（ｂ）は家人外出の場合である。
【図６】同上の人体検知センサの検知領域を示す平面図である。
【図７】同上の人体検知センサの検知領域を示す側面図であり、（ａ）は１２ｍ警戒時、（ｂ）は８ｍ警戒時、（ｃ）は５ｍ警戒時、（ｄ）は２ｍ警戒時である。
【図８】同上の磁気スイッチを別の箇所に設置した場合を示す説明図であり、（ａ）は閉扉状態、（ｂ）は開扉状態である。
【図９】同上の門扉と門柱との接続部分を示す説明図であり、（ａ）は門扉が人体検知器本体に当たる場合、（ｂ）は門扉が人体検知器本体に当たらない構造にした場合である。
【図１０】本発明の実施の形態における他例の門ユニット用侵入検知装置を示す説明図である。
【図１１】同上の門ユニットの開閉を検知する為の構造を示す説明図であり、（ａ）は開扉状態、（ｂ）は閉扉状態である。
【符号の説明】
１　門ユニット
２０　屋宅
２１　検知領域
３０　第一検知部
３１　第二検知部
３２　制御部
３３　警告部
【図１】
2004118450.tif 000003
【図２】
2004118450.tif 000004
【図３】
2004118450.tif 000005
【図４】
2004118450.tif 000006
【図５】
2004118450.tif 000007
【図６】
2004118450.tif 000008
【図７】
2004118450.tif 000009
【図８】
2004118450.tif 000010
【図９】
2004118450.tif 000011
【図１０】
2004118450.tif 000012
【図１１】
2004118450.tif 000013